(57)【要約】      （修正有）【課題】保管時に嵩張らず、運搬と組立が容易な分割式の袋保持函体を提供する。【解決手段】内部に袋体を収容して保持する袋保持函体１であって、平面視六角形状を呈する函本体１０と、複数の連結具２０と、を具備し、函本体は、函本体１０を縦方向に分割した２つの分割フレーム１１からなり、２つの分割フレーム１１はそれぞれ、開口側に広がったハット型の断面形状を呈し、中央面材１１Ａと、中央面材１１Ａの両側辺から屈折して延出した２枚の側面材１１Ｂと、２枚の側面材１１Ｂの外端辺から外向きに延出した２枚の連結端部１１Ｃと、を具備し、対向して組み合わせた２つの分割フレーム１１を、連結端部１１Ｃを挟持した複数の連結具２０を介して結合したことを特徴とする。【選択図】図１
0003197636.tif 000002
【実用新案登録請求の範囲】
【請求項１】
内部に袋体を収容して保持する袋保持函体であって、
平面視六角形状を呈する函本体と、
複数の連結具と、を具備し、
前記函本体は、前記函本体を縦方向に分割した２つの分割フレームからなり、
前記２つの分割フレームはそれぞれ、開口側に広がったハット型の断面形状を呈し、中央面材と、前記中央面材の両側辺から屈折して延出した２枚の側面材と、前記２枚の側面材の外端辺から外向きに延出した２枚の連結端部と、を具備し、
対向して組み合わせた前記２つの分割フレームを、前記連結端部を挟持した前記複数の連結具を介して結合したことを特徴とする、
袋保持函体。
【請求項２】
前記分割フレームが、金網製であることを特徴とする、請求項１に記載の袋保持函体。
【請求項３】
前記連結具は、前記連結端部の網目に掛止するフック部を具備することを特徴とする、請求項２に記載の袋保持函体。
【請求項４】
前記連結具は、前記連結端部の網目に結束する離脱防止紐を具備することを特徴とする、請求項３に記載の袋保持函体。
【請求項５】
前記函本体の底部を塞ぐ、着脱自在の底面パネルをさらに具備したことを特徴とする、請求項１乃至４のいずれか一項に記載の袋保持函体。
【考案の詳細な説明】
【技術分野】
【０００１】
本考案は袋保持函体に関し、特に、保管時に嵩張らず運搬・組立が容易な分割式の袋保持函体に関する。
【背景技術】
【０００２】
工事現場では、土嚢袋等の袋体への中詰作業において、袋体を保持するために各種の函体が用いられる。
特許文献１には、円筒状型枠Ａの周囲に袋体の口部を仮固定するための取付け部が設けられ、口部に吊下げロープを有する袋体をセットしそれに中詰め材を投入するための円筒状の袋体保持函体であって、円筒状型枠の周囲に吊下げ用ロープを仮固定するための吊下げロープ用取付け部を設けた袋保持函体が開示されている。当該袋体保持函体によれば、吊下げロープのループをクレーン等の重機のフックに容易に掛けられ、確実に吊り上げることができるとされている。
【０００３】
特許文献２には、２つの円弧状の分割枠体からなる袋保持函体であって、ヒンジ部を中心に相互に回動自在に連結された、２分割１群型の袋保持函体が開示されている。当該袋体保持函体によれば、中詰め材充填作業が終了した後に、袋体用型枠を開放し、折り畳んで容積を小さくして保管することができるとされている。
【先行技術文献】
【特許文献】
【０００４】
【特許文献１】特開２０１２―１１７２８０号公報
【特許文献２】特開２００５―２８２２７７号公報
【考案の概要】
【考案が解決しようとする課題】
【０００５】
従来の袋保持函体には、次のような欠点がある。
＜１＞形状が大きいため保管に広い空間を必要とする。また、ヒンジ式の袋保持函体も分割後の形状が湾曲していて不安定なため、積み上げて運搬・保管することができない。
＜２＞重量が重く嵩張るため運搬効率が悪い。
＜３＞構造が複雑であるため、組立や分解に手間がかかる。
＜４＞脱型時、充填した袋体を吊り上げて取り出さなければならないため、作業効率が悪い。
【課題を解決するための手段】
【０００６】
上記のような課題を解決するための本考案の袋保持函体は、内部に袋体を収容して保持する袋保持函体であって、平面視六角形状を呈する函本体と、複数の連結具と、を具備し、函本体は、函本体を縦方向に分割した２つの分割フレームからなり、２つの分割フレームはそれぞれ、開口側に広がったハット型の断面形状を呈し、中央面材と、中央面材の両側辺から屈折して延出した２枚の側面材と、２枚の側面材の外端辺から外向きに延出した２枚の連結端部と、を具備し、対向して組み合わせた２つの分割フレームを、連結端部を挟持した複数の連結具を介して結合したことを特徴とする。
【０００７】
本考案の袋保持函体は、分割フレームが金網製であることが望ましい。
【０００８】
本考案の袋保持函体は、連結具が連結端部の網目に掛止するフック部を具備することが望ましい。
【０００９】
本考案の袋保持函体は、連結具が連結端部の網目に結束する離脱防止紐を具備することが望ましい。
【００１０】
本考案の袋保持函体は、函本体の底部を塞ぐ着脱自在の底面パネルをさらに具備することが望ましい。
【考案の効果】
【００１１】
本考案の袋保持函体は、以上説明した構成であるため、次の効果を少なくともひとつ備えている。
＜１＞分割フレームを積み上げて運搬・保管することができる。よって、少ないスペースで保管することができる。
＜２＞分割式であるため、軽量で運搬効率が良い。
＜３＞連結端部を連結具で留めただけの簡単な構造であるため、組立や分解が容易である。
＜４＞分割フレームを縦方向に分割して脱型することができるため、袋体を吊り上げる必要がない。よって、作業効率が非常に良い。
＜５＞中詰後の袋保持函体を、そのまま土留や土嚢篭として用いることができる。
【図面の簡単な説明】
【００１２】
【図１】本考案に係る袋保持函体の説明図。
【図２】本考案に係る袋保持函体の説明図。
【図３】連結具の説明図。
【図４Ａ】本考案に係る袋保持函体の実施例の説明図。
【図４Ｂ】本考案に係る袋保持函体の実施例の説明図。
【図４Ｃ】本考案に係る袋保持函体の実施例の説明図。
【図５】本考案に係る袋保持函体の実施例の説明図。
【考案を実施するための形態】
【００１３】
本考案の袋保持函体は、袋体の中詰用の型枠として用いるほか、そのまま土留や土嚢篭として用いたり、廃棄物分別篭として用いることもできる。
以下、図面を参照しながら本考案の袋保持函体について詳細に説明する。
尚、説明の便宜上、図１及び図５においては、分割フレームの網目の間を透過させずに記載している。
【実施例１】
【００１４】
＜１＞全体の構成（図１）。
本考案の袋保持函体１は、袋体を収容する六角柱形状の函体である。
袋保持函体１は、函本体１０と、複数の連結具２０と、からなる。
なお、図１では前面の分割フレーム１１の網目内の記載を省略している。
【００１５】
＜２＞函本体。
函本体１０は、対向して組み合わせた２つの分割フレーム１１、１１からなる六角柱形状の枠体である。
本例では、函本体１０は縦ストリングと横ストリングを直交方向に組み合わせた溶接金網からなる。ただしこれに限られず、樹脂素材、ＦＲＰ素材等を採用することができる。
【００１６】
＜２．１＞分割フレーム（図２）。
分割フレーム１１は、２つ組合わせることで函本体１０を形成する部材である。
分割フレーム１１は、開口側に広げたハット型の断面形状を呈し、１枚の中央面材１１Ａと、中央面材１０の両側辺から屈折して延出した２枚の側面材１１Ｂ、１１Ｂと、側面材１１Ｂの外端辺から外向きに延出した２枚の連結端部１１Ｃ、１１Ｃと、からなる。
【００１７】
＜２．１．１＞中央面材、側面材。
中央面材１１Ａと側面材１１Ｂは、函本体１０の六角柱形状の周面を構成する矩形のパネル部材である。  
中央面材１１Ａは、ハット形状の頂面に対応する。
側面材１１Ｂは、中央面材１１Ａの両側辺から、分割フレーム１１の同一面側に同一角度屈折して延出する。
本例では、中央面材１１Ａと側面材１１Ｂとを同一形状とする。
【００１８】
＜２．１．２＞連結端部。
２枚の連結端部１１Ｃ、１１Ｃは、分割フレーム１１の両端部に位置する面状の部分である。
２枚の連結端部１１Ｃ、１１Ｃは、２枚の側面材１１Ｂ、１１Ｂの外側の辺から、分割フレーム１１の外側に向かって延出する。
２枚の連結端部１１Ｃ、１１Ｃの面と、中央面材１１Ａの面とは略平行する。よって、２つの分割フレーム１１、１１を組み合わせた状態において、対向する２つの連結端部１１Ｃ、１１Ｃ同士は面で接する。
【００１９】
＜３＞連結具（図３）。
連結具２０は、２つの分割フレーム１１、１１を連結する部材である。
本例では連結具２０として、溶接金網の横ストリング同士を挟持する着脱自在のフック状金具を採用する。ただし、これに限られず、例えば結束帯やワイヤ等、周知の各連結具を採用することができる。
【００２０】
＜３．１＞連結具の構造。
連結具２０は、フック構造に折り返した金属製の板材からなり、板状部２１と、頂部２２と、フック部２３と、を具備する。
連結具２０は、板状部２１の先端からその直角方向に折れ曲がり平坦な頂部２２を形成し、頂部２２の先端で板状部２１側へ再度折れ曲がり、フック部２３を形成する。板状部２１、頂部２２、フック部２３の内側には、掛止溝２４が形成される。
フック部２３は、横ストリングから離脱しにくくするため、頂部２２から板状部２１側へ傾けて形成する。また、フック部２３は板状部２１側へ湾曲した形状としてもよい。
フック部２３の先端から板状部２１までの距離、つまり、掛止溝２４の開口部の幅Ｗは、水平方向に並べた２本の横ストリングを、水平方向から通過させることができるが、垂直方向からは通過させることができない幅とする。すなわち幅Ｗは横ストリングの径より大きく、横ストリング径の２倍より小さい。
挟持後のがたつきを小さくするため、連結具２０の横幅は隣接する縦ストリング間の間隔より若干小さくするのが望ましい。
【００２１】
＜３．２＞離脱防止材。
連結具２０には、連結具２０が横ストリングから離脱するのを防止するための離脱防止材２５を設けることもできる。
本例では、離脱防止材２５として、連結具２０の後端部に設けた挿通孔に挿通した紐を採用する。ただしこれに限られず、結束帯や番線等を採用してもよい。
【００２２】
＜４＞底面パネル（図２）。
底面パネル３０は、袋保持函体１の底部を塞ぐパネル状の部材である。
底面パネル３０は、パネル状の底面部３１と、底面部３１の長さ方向の両辺に設けた複数の爪部３２とを具備する。
本例では、底面部３１として矩形の溶接金網を採用する。底面部３１の長さは対向する中央面材１１Ａ、１１Ａ間の距離に対応する。
底面パネル３０は、対向する中央面材１１Ａ、１１Ａ間に掛け渡し、複数の爪部３２を中央面材１１Ａの横ストリングに掛止して連結する。
底面部３１は設置面に接地させてもよいし、底面部３１と設置面との間に若干の隙間を設けてもよい。
【００２３】
[袋保持函体の組立方法等]
次に、本願の袋保持函体の組立方法・分解方法について、図面を参照しながら詳細に説明する。
【００２４】
＜１＞分割フレームの組合せ（図２）。
２つの分割フレーム１１、１１を内面側が対向するように立設し、対向する連結端部１１Ｃ、１１Ｃ同士を接面させる。
従来の分割式の袋保持函体は、複数の分割フレームを組合せる際、各分割フレームの側辺同士を位置合わせしていた。これは線と線とを合わせる作業となるため、ずれやすく、作業効率が悪かった。
これに対し本願の袋保持函体１は、連結端部１１Ｃの面と面とで位置合わせするため作業が容易である。
【００２５】
＜２＞連結具による連結。
接面した連結端部１１Ｃ、１１Ｃの対応する横ストリング同士を、連結具２０で挟持して連結する。
本例では、連結具２０を連結端部１１Ｃの上端部付近と下端部付近の横ストリングにそれぞれ１つずつ設置するが、これに限られず、任意の場所に連結することができる。
まず、板状部２１が上になるように水平に寝かせた姿勢で、連結具２０の掛止溝２４を、対応する２本の横ストリングに水平方向に挿通させる（図４Ａ）。
掛止溝２４奥側の横ストリングが頂部２３の下面に達したら、横ストリングを軸に板状部２１を押下げて、板状部２１を垂下させる（図４Ｂ）。
２本の横ストリングは掛止溝２４内に保持されるが、掛止溝２４の開口部の幅Ｗは横ストリングの径の２倍より小さいため、水平に並べた２本の横ストリングを垂直方向に通すことができない。よって、板状部２１が垂下している姿勢では、連結具２０は横ストリングから離脱しない。
【００２６】
＜２．１＞離脱防止材を設けた場合。
連結具２０に離脱防止材２５を設けた場合、連結具２０によって２本の横ストリングを挟持した後、離脱防止材２５の一端を、連結具２０で結束した横ストリングの下方の横ストリングに結び付ける（図４Ｃ）。こうしておけば板状部２１が垂下した姿勢が維持されるため、連結具２０が離脱しない。
また、離脱防止材２５を連結する横ストリングの上段に結び付ければ、連結具２０を吊り下げた状態で横ストリングを連結することもできる。
【００２７】
＜３＞底面パネルの設置。
さらに、連結した袋保持函体１の底部に底面パネル３０を設置することもできる。
底面部３１の両端部から突出する複数の爪部３２を、対向する中央面材１１Ａ、１１下方の横ストリングに掛止する。
【００２８】
＜４＞袋保持函体の強度。
袋保持函体１内の袋体に中詰材を充填すると、函本体１０に大きな荷重がかかる。
本考案の袋保持函体１は、溶接金網による六角柱の形状を呈するため、フレーム全体が撓むことで、函本体１０にかかる荷重が分散される。
また、函本体１０の側縁から外向きに突出した２枚の連結端部１１Ｃが函本体１０の補強材の役目をする。このため、強度が高く、破損しにくい。
【００２９】
＜５＞袋保持函体の分解方法。
本考案の袋保持函体１は、連結端部１１Ｃ、１１Ｃ同士を連結具２０で挟持しただけの簡易な連結構造であるため、分解も容易である。
すなわち、連結具２０の板状部２１を、横ストリングを軸に上方に回転させて水平方向に起こし、横ストリングから引き抜くだけで、連結端部１１Ｃ同士の連結が解除される。
分解した状態の分割フレーム１１は、上面、下面とも平坦な形状であるため、積み重ねても荷崩れしにくい。よって、上方に高く積み重ねて運搬・保管することができる（図５）。
【符号の説明】
【００３０】
１      袋保持函体
１０    函本体
１１    分割フレーム
１１Ａ  中央面材
１１Ｂ  側面材
１１Ｃ  連結端部
２０    連結具
２１    板状部
２２    頂部
２３    フック部
２４    掛止溝
２５    離脱防止材
３０    底面パネル
３１    底面部
３２    爪部
【図１】
0003197636.tif 000003
【図２】
0003197636.tif 000004
【図３】
0003197636.tif 000005
【図４Ａ】
0003197636.tif 000006
【図４Ｂ】
0003197636.tif 000007
【図４Ｃ】
0003197636.tif 000008
【図５】
0003197636.tif 000009